(57)【要約】      （修正有）【課題】開口部を開閉するための装飾玉の取り付け部の接着強度の劣化を軽減する身飾品の留め具を提供する。【解決手段】突き合わせ両端部間に開口部１２を有するところの、略C字状をした環状の留め具本体１１と、該留め具本体１１に形成した身飾品の端部取付け部１５と、留め具本体１１の操作部１６と、該操作部１６の突起部１６ｂ上方に取り付けられる装飾玉１８とからなり、装飾玉１８の取付け軸線Ｙ―Ｙが、操作部１６における突起部１６ｂの突出方向の軸線Ｘ―Ｘに対して指先による押圧側（片側開口部側）に傾いた方向となるように取り付けた。これにより指先による装飾玉１８の加圧方向が変わり、指先による装飾玉１８の加圧力負担の一部を突起部１６ｂに転嫁することにより、指先押圧による装飾玉１８取付け接着部の負担を軽減して引きピンと装飾玉１８との取付け強度の劣化を著しく軽減する。【選択図】図２
0003210272.tif 000002
【実用新案登録請求の範囲】
【請求項１】
突き合わせ両端部間に開口部を有するところの、全体が略Ｃ字状をなし、その少なくとも一端側を内部中空とし、しかも該中空部の一部外周面に沿って一定長さで内外に通じる一定幅のスリットを形成した環状の留め具本体部と、
該留め具本体に形成した身飾品の端部を取り付けるための取付け部と、
留め具本体の上記中空部内を留め具本体に沿って、先端部を留め具本体の片側端部から対面する他側の端部に達するまでスライド移動可能とし、しかも該留め具本体の前記スリットより留め具本体の外周側に向けて突出させた突起部を一体に有する軸部材、および該軸部材を常時留め具本体の突き合わせ端部方向に付勢させた操作部と、
該操作部の突起部上方に取り付けられる装飾玉と、を有してなり、
該装飾玉の取付け方向軸線が、操作部における突起部の突出方向軸線に対して指先による押圧側（片側開口部側）に傾いた方向となるように取り付けられていることを特徴とする身飾品の留め具。
【請求項２】
装飾玉が、操作部における突起部上方に取り付けた碗状の台座部材を介して取り付けられていることを特徴とする請求項１に記載の身飾品の留め具。
【考案の詳細な説明】
【技術分野】
【０００１】
本考案は、ネックレスやブレスレット、ペンダントチェーン等のアクセサリー身飾品の両端部を連結させるための留め具に関する。
【背景技術】
【０００２】
従来汎用されている留め具は、小型軽量でかつ体裁が良く低コストの環状をした引き輪型のものが多く用いられている。これは図４にあらわしたように、内部中空の管体１を、円環状に湾曲して構成するとともに、その両端部１aと１ｂとの間に身飾品の端部取付部を引き通すのに中分な間隔を有した開口部１cが形成されている。さらに管体１の外周面であって端部１ａ側寄りの位置には身飾品の他端部を取り付けるための倒Ｕ字状をした取付け部２がロウ付け等により設けられ、該取付け部２付近から管体１の外周面に沿って管体端部１aにかけて後記する操作部３aが外方に突出したまま移動可能な幅のスリットが形成されている。
【０００３】
一方管体1の内部には管体１の環状をした湾曲弧状に合わせた軸部材３が挿通されており、前記した取付け部２の付近からコイルバネなどにより常時管体１の開口部１b方向に向けて付勢させており、その結果軸部材３が管体１の内部に沿ってその中空内部を環状方向に自由移動ができ、通常は軸部材３の先端が管体１の端部１ｂ内に入り込んで開口部１ｃを塞いでいる。なお軸部材３にはその円弧状をした外周方向に向けて操作部３aが突出して一体に設けられており、該操作部３aは管体１のスリットから管体１の外周方向に向けて突出している。
【０００４】
図４に示した汎用の留め具は、その取付け部２に身飾品の他端部を取り付けるとともに、身飾品を首回り等に配置した後、管体１より突出している操作部３aを指先で取付部２方向に移動させることによって、これと一体の軸部材３を管体１に沿ってスライド移動させて管体１の開口部１cを開口させつつ、該開口部分より身飾品の一端の取付部を管体１の管状体の内周側に位置させた後に操作部３aを緩めて開口部１cを閉塞して身飾品を完全に落ちないように取り付けることができる。
【０００５】
しかし、上記した留め具においては、突出する操作部３a自体が小さく、また身飾品の着脱時には目視できないために、身飾品の取付けや取り外しに苦労する。また操作部３aだけを大きめとすると審美観上劣ることになり好ましくない。そこで、本考案者は、引き軸を操作して開閉するための引きピン（操作部）に宝石類や加工貴金属類などの装飾玉を一体に取り付けるようにした引き輪式の止め金具を開発した（実用新案登録第３１２８１９７号）。
【０００６】
しかしこの場合には爪先ではなく指の腹で操作できるので操作性には優れるものの、引きピンに対する装飾玉の取付けが、加工金属類である場合にはロウ付けやレーザー溶接によるものであり、また宝石類等にあってはその底面部の一部に穴をあけて接着剤を用いているが、引きピンと装飾玉との接触面積があまり大きくないところから、繰り返し使用により接着力が次第に劣化して装飾玉が比較的早期に外れてしまうことが多い。
【０００７】
そこで、さらに操作部である引きピンの上端部に対する身飾品のロウ付けや接着面積を増やすために引きピンの上部に碗状に形成した台座部材を強固に取り付けるとともに、この台座部材に装飾部材（装飾玉）を安定的に取り付けるようにした留め具も開発した（実用新案登録第３１６７６１５号）。
【先行技術文献】
【特許文献】
【０００８】
【特許文献１】実用新案登録第３１２８１９７号公報
【特許文献２】実用新案登録第３１６７６１５号公報
【考案の概要】
【考案が解決しようとする課題】
【０００９】
しかしながら、特許文献１に記載のものは、既述したように爪先ではなく指の腹で操作できるので操作性には優れるものの、引きピンに対する装飾玉の取付けが、加工金属類である場合にはロウ付けやレーザー溶接によるものであり、また宝石類等にあっては接着剤を用いているが、引きピンと装飾玉との接触面積があまり大きくないところから、繰り返し使用によりロウ付けや接着力が経時的使用によって次第に劣化して装飾玉が比較的早期に外れてしまうことが多い。
【００１０】
また特許文献２に記載のものにおいても、ロウ付けや接着面積を増やすために引きピン（操作部）に碗状に形成した台座部材を強固に取り付けるとともに、この台座部材に装飾部材（装飾玉）を安定的に取り付けるようにした場合には前記した特許文献１のものに比べて装飾玉の取付け強度は少し向上するものの、それほど大幅に取付け強度が向上するわけではない。むしろ碗状の台座を加工する分だけコスト高となりまた手間もかかり量産性に劣るという課題もある。
【課題を解決するための手段】
【００１１】
そこで本考案においては、操作部である引きピンの上方に取り付けられた身飾品のロウ付けや接着剤による取付け部の強度劣化を招く原因となる、指先による装飾玉の加圧方向を変えることにより、指先による装飾玉の加圧力負担の一部を取付部に転嫁することにより装飾玉の接着部にかかる負荷を軽減して引きピンと装飾玉との取付け強度の劣化を著しく軽減するようにしたものである。
具体的には、
突き合わせ両端部間に開口部を形成した略C字状をなすところの、少なくとも一端側を内部中空とし、しかも該中空部の一部外周面に沿って一定長さで内外に通じる一定幅のスリットを形成した環状の留め具本体部と、
該留め具本体に形成した身飾品の端部を取り付けるための取付け部と、
留め具本体の上記中空部内を留め具本体に沿って、先端部を留め具本体の片側端部から対面する他側の端部に達するまでスライド移動可能とし、しかも該留め具本体の前記スリットより留め具本体の外周側に向けて突出させた突起部を一体に有する軸部材、および該軸部材を常時留め具本体の突き合わせ端部方向に付勢させた操作部と、
該操作部の突起部上方に取り付けられる装飾玉と、を有してなり、
上記装飾玉の突起部に対する取付け軸線が、操作部における突起部の突出方向の軸線に対して指先による押圧側（片側開口部側）に傾いた方向となるように取り付けられていることを特徴とする身飾品の留め具としたものである。
【考案の効果】
【００１２】
本考案による留め具によれば、装飾玉の取付け方向軸線が、操作部における突起部の突出方向軸線に対して指先による押圧側（片側開口部側）に傾いた方向となるように取り付けられているために、操作部を操作する装飾玉の取付け方向軸線を操作部の突起部突出方向軸線と一致させるのではなく、操作部の突起部突出方向軸線に対して指先による押圧側に傾倒するように取付け方向軸線を交差させた位置に取り付けたために、指先による装飾玉の加圧方向が突起部の突出方向に対して直角ではなしに突起部の突出方向寄りとなる結果、指先による装飾玉を介した突起部への加圧力を操作部の突起部に一部転嫁させることができ、その分だけ加圧負担を軽減して引きピンと装飾玉との取付け部の接着強度の劣化を著しく軽減することができる。
【図面の簡単な説明】
【００１３】
【図１】本考案の実施例である留め具の平面図。
【図２】本考案の実施例である環状の留め具本体部開口を閉じた状態の断面図。
【図３】本考案の実施例である環状の留め具本体部開口を開いた状態の断面図。
【図４】従来の標準的な留め具をあらわした平面図。
【考案を実施するための形態】
【００１４】
以下において本考案に係る身飾品用の留め具の具体的な内容について説明をする。
第1〜３図において、１１は環状の留め具本体部、１５は取付け部、１６は操作部、１８は装飾玉をあらわしている。具体的には、環状の留め具１１は、円環状をした全体が略C字状をなし、その一部両端突き合わせ部１１ｂ・１１ｂ間に開口部１２を有している。この開口部はネックレス等の身飾品の端部等に有する留め部を十分に通過させることができる程度の間隔であればよい。
【００１５】
また環状の留め金具本体１１は、その全体もしくは一部がパイプ状に内部中空であって、しかも該中空部の一部外周面（端部１１ａ寄りの位置）に、外周面に沿って環状の留め金具本体１１の外周面に沿って一定長さで、しかも内外に前記パイプ状の内外に通じる一定幅のスリット１４が形成されている。なお、ここで一定長さとは後記する操作部１６のスライド移動により操作部先端１６ａが開口部１２を十分に開閉するに足りる長さ距離であればよい。また前記した一定幅のスリット１４については、後記する留め具本体１１の前記スリット１４より留め具本体の外周側に向けて突出させた突起部１６ｂが容易にスライド移動することが可能な幅である。
【００１６】
留め具本体１１にはネックレス等の身飾品の一部を取り付けるための取付け部１５が取り付けられる。この取付け部１５は、身飾品の一部を外れないように取り付ける構造であればよく、本実施例においては、倒Ｕ字状をした部品の開口部両端縁部を留め具本体１１の外周縁部にロウ付けして一体に形成している。さらに１３は留め具本体１１の中空部内に形成したバネ止め部である。
【００１７】
操作部１６は留め具本体１１の前記した中空部内を留め具本体１１に沿って、先端部１６ａを留め具本体１１の片側端部１１ａから対面する他側の端部１１ｂに達するまでスライド移動可能とした棒状の軸部材により構成されており、しかも該軸部材の一部を円弧外周側に向けて突出させるべく逆Ｕ字状に折り曲げることによって該留め具本体１１の前記スリット１４より留め具本体１１の外周側に向けて突出させた突起部１６ｂを一体に形成している。
【００１８】
さらに操作部１６の後端部と前記したバネ止め部１３との間には弾発手段１７が装入されている。本実施例では弾発手段１７としてコイル状のスプリングが用いられており、操作部１６を留め具本体１１の端部１１ｂ方向に常時付勢している。なおこの場合に弾発手段１７については必ずしもコイル状のスプリングに限られるものではなく弾発力を発揮する他のバネ部材を用いることもできる。
【００１９】
突起部１６ｂに取り付けられる装飾玉１８については、例えばパールや金属球体、あるいはプラスチック装飾品などが用いやすいが、このほかにも各種の宝石類や小型の模型類などの使用も可能である。
突起部１６ｂに対する装飾玉１８の取り付けについては、上記装飾玉１８の取付け軸Ｙ−Ｙが、操作部１６における突起部１６ｂの突出方向軸Ｘ−Ｘに対して指先による押圧側（片側開口部１１ａ側）に傾いている。突起部１６ｂの突出方向軸Ｘ−Ｘに対する装飾玉１８の取付け軸Ｙ−Ｙの傾斜角度については、通常は１２度程度で有効であるが、望ましくは３０度あるいはそれ以上であるとより一層有効である。しかし４５度を超えると装飾玉１８の取付け加工が難しくなるため、１５度から４５度の範囲が良好な範囲であるといえる。
【００２０】
なお装飾玉１８の突起部１６ｂに対する取付けについては、装飾玉１８の材質や硬さ等にもよるが、取付け軸Ｙ−Ｙが、必ずしも装飾玉１８の中心に位置している必要はなく、装飾玉１８の端部寄りに位置してもよい。
【００２１】
上記の構成において、通常は操作部１６の先端部１６ａが留め具本体１１の端部１１ｂの内方に入り込んで開口部１２が閉鎖されている。
留め具本体１１の取付け部１５には通常ネックレスやブレスレット等の身飾品の一端が取り付けられており、これらの身飾品を身につける場合おいては、装飾玉１８の開口部１２側に位置する側面を指先にて取付け部１５方向に押圧する。
【００２２】
これにより操作部１６も弾発手段１７の弾発力に抗して取付け部１５の方向にスライドする結果、操作部１６の先端部１６ａが後退して開口部１２が開口され（図３参照）、開口している間に身飾品の他方の端部留め部を留め具本体１１の環状内方に位置したところで装飾玉１８の押圧を開放することによって開口部１２が閉鎖され、これによって身体に対する身飾品の着脱をおこなうことができる。
【００２３】
また、本考案においては特に図示はしないが、装飾玉１８の取り付けにあたり、操作部における突起部１６ｂの上方に碗状の台座部を取り付けるとともに、該碗状の台座部上に装飾玉１８を、その取付け軸Ｙ―Ｙが、操作部における突起部の突出方向軸Ｘ−Ｘに対して指先による押圧側（片側開口部側）に傾いてロウ付けや接着剤などにより取り付けるようにしてもよい。
【符号の説明】
【００２４】
１１      留め具本体
１１ａ    留め具本体の端部
１１ｂ    留め具本体の端部
１２      開口部
１３      バネ止め部
１４      スリット
１５      取付け部
１６      操作部
１６ａ    操作部の先端部
１６ｂ    突起部
１７      スプリング
１８      装飾玉
【図１】
0003210272.tif 000003
【図２】
0003210272.tif 000004
【図３】
0003210272.tif 000005
【図４】
0003210272.tif 000006